(57)【要約】【課題】手指を泥土で汚さずに容易に所定深さまで差し込むことができる給水帯を提供する。【解決手段】給水帯１０は、帯体１１と硬質な合成樹脂製の差込ガイド片１２とからなる。帯体１１は、細長い帯状に形成されたマグネットシート１３、中空の織紐１４、及び可撓性を有する合成樹脂製のホース１５から構成され、差込ガイド片１２は、棒状に形成した差込部１８及びその上方に形成したつまみ部１９を具備する。帯体１１の端部１６ａに差込部１８の先端が取り付けられている。そして、給水帯１０の端部１６ａを植木鉢２５側に配し、端部１６ｂをペットボトル２６等の給水源側に配すると共に、差込ガイド片１２の差込部１８を土中の適当な深さまで差し込む。そのとき、つまみ部１９をつまめば、手指を泥土で汚さずに容易に所定深さまで差し込むことができる。【選択図】図３
0003139294.tif 000002
【実用新案登録請求の範囲】
【請求項１】
中空に形成された織紐と、帯状のマグネットシートと、可撓性を有する合成樹脂製のホースと、棒状に形成された硬質な合成樹脂製の差込ガイド片とからなり、
前記織紐に、前記マグネットシートを挿通して、両者を所定の長さに切断し、
該織紐は、その両端を露出させた状態で、前記ホースに挿通して帯体を形成し、
該帯体のいずれか一方の端部に、前記差込ガイド片を取り付けて形成したことを特徴とする給水帯。
【請求項２】
前記差込ガイド片に、平板状のつまみ部を形成したことを特徴とする請求項１に記載の給水帯。
【考案の詳細な説明】
【技術分野】
【０００１】
本考案は、水を溜めたバケツ等の給水源から植木鉢や花壇等へ、毛管現象を利用して給水する給水帯に関する。
【背景技術】
【０００２】
従来、毛管現象を利用して給水する給水帯は、細長く帯状に形成した紙片或いは布片、若しくは、編紐、織紐、ロープ等を適当な長さに切断して形成される。該給水帯は、一方の端部を植木鉢等へ植栽された植物の根の近傍に配し、他方の端部を給水源に浸漬させたときに、水を給水源から植物へ定常的に供給することができる。さらに、該給水帯に、磁石を密着させて取り付けると、磁化された水は抗菌効果や活性酸素の低減効果を得ることができる。
【特許文献１】特許第３９０８１９７号公報
【考案の開示】
【考案が解決しようとする課題】
【０００３】
植物の根は、根毛と呼ばれる先端部の糸状突起物から養分が溶け込んだ水溶液を吸収する。したがって、上記の給水帯は、根の近傍に配し、さらに根の先端に近づけさせるために、土を十分に掘り起こしてから、該給水帯の一端を埋めるようにすることが好ましい。
しかし、そのために、スコップ等を用いて土を掘り起こすと、前記根毛を傷つけてしまうおそれがある。また、棒若しくは指等により穴を掘って、該穴に給水帯を差し込む場合、給水帯が穴の途中で引っ掛かり、所望する深さまで達しないおそれがあるばかりでなく、手指が泥土で汚れるおそれがある。
【０００４】
そこで、本考案は、手指を泥土で汚さずに容易に所定深さまで差し込むことができる給水帯を提供することを目的とする。
【課題を解決するための手段】
【０００５】
請求項１に記載の給水帯は、中空に形成された織紐と、帯状のマグネットシートと、可撓性を有する合成樹脂製のホースと、棒状に形成された硬質な合成樹脂製の差込ガイド片とからなり、
前記織紐に、前記マグネットシートを挿通して、両者を所定の長さに切断し、該織紐は、その両端を露出させた状態で、前記ホースに挿通して帯体を形成し、該帯体のいずれか一方の端部に、前記差込ガイド片を取り付けて形成したことを特徴とする。
【０００６】
請求項２に記載の給水帯は、請求項１に記載の考案において、前記差込ガイド片に、平板状のつまみ部を形成したことを特徴とする。
【考案の効果】
【０００７】
請求項１に記載の給水帯によれば、硬質な差込ガイド片を織紐の端部に取り付けたことにより、差込ガイド片を土へ真っ直ぐに差し込むと、該差込ガイド片の端部に取り付けた織紐の端部も土中へ差し込まれる。そのため、土を掘り起こさずとも、織紐の端部を土中深くに差し込むことができる。したがって、根先端部の根毛から水を吸水させることができるので、植物の成長を促進させることができる。
【０００８】
請求項２に記載の給水帯によれば、差込ガイド片に形成した平板状のつまみ部をつまんで、土へ差し込むことにより、手指が泥土で汚れてしまうことを防ぐことができる。また、つまみ部には、植物名や日付等を表示させることができる。
【実施例１】
【０００９】
本実施例に係る給水帯１０を添付図面にしたがって説明する。図１は、本実施例に係る給水帯１０を示したものである。図２は、差込ガイド片１２を示したものである。図３は、本実施例に係る給水帯１０を使用例を示したものである。
【００１０】
図１に示すように、給水帯１０は、帯体１１と、硬質な合成樹脂製の差込ガイド片１２とからなる。
帯体１１は、細長い帯状に形成されたマグネットシート１３と、中空な筒状に形成された織紐１４と、可撓性及び熱可塑性を具備する合成樹脂製のホース１５とからなる。
織紐１４は、その中空部分にマグネットシート１３を挿通する。マグネットシート１３及び織紐１４は、所定の長さに揃えて切断されている。そして、切断された織紐１４の両端部１６ａ，１６ｂは、解れないように、短冊状の金属片を環状にして形成した金属環１７ａ，１７ｂを嵌めてかしめつけられている。金属環１７ａ，１７ｂは、錆防止のため、ステンレス製であることが好ましい。
織紐１４は、その両端を露出させた状態で、ホース１５に挿通する。
さらに、ホース１５は、両端部を加熱して、収縮させることにより、織紐１４に固定されている。
【００１１】
上記のように形成した帯体１１は、端部１６ａ，１６ｂのいずれか一方を、植木鉢や花壇、或いは花瓶等の花器に配し、他方を水を溜めたバケツ等の給水源に浸漬させると、織紐１４の毛管現象によって給水源に溜めた水を植木鉢等へ供給することができる。このとき、マグネットシート１３により、磁化された水は抗菌効果及び活性酸素低減効果を得ることができる。そして、ホース１５は、織紐１４の両端部以外を被覆しているので、給水中の織紐１４から水分が蒸散することを防ぐことができる。
【００１２】
本実施例においては、帯体１１に織紐１４を用いたが、これに限定されること無く、水分を浸潤させることができ、毛管現象を奏することができる帯状又は紐状の部材、例えば、ロープ、又は細長く裁断した紙片或いは布片等を用いることもできる。また、マグネットシートに限定されること無く、細粒状に形成した磁石を帯体１１の中空部分に充填させても良い。
【００１３】
差込ガイド片１２は、棒状に形成された差込部１８と、該差込部１８の上方に連接形成された平板状のつまみ部１９とからなる。該差込ガイド片１２を図２に示す。
差込部１８は、台形状の断面を有し、さらに棒体の長さ方向に沿って、表側に、突条２０が設けられている。該突条２０は、差込部１８の剛性を確保し、変形を防止することができる。また、該突条２０を設けたことにより、差込ガイド片１２は、その表裏を判別することができる。また、差込部１８の下端部は、先端部分を薄くした差込端２１が設けられている。差込ガイド片１２は、該差込端２１を金属環１７ａに差し込んで、帯体１１の端部１６ａに取り付ける。
つまみ部１９は、植えられた植物の名称や、本実施例の給水帯１０の使用を開始した日付等を記入することにより、植物を識別したり、給水状態を把握することができる。
本実施例においては、短冊状に形成されたつまみ部１９を例示したが、形状はこれに限定されるものではなく、また、植物名や、識別マーク等をつまみ部１９に印刷若しくは貼付することもできる。
また、差込ガイド片１２は、合成樹脂製のものに限定されるものではなく、木製、金属製であっても良い。
【００１４】
上記のように構成された給水帯１０は、以下のように使用される。
図３に給水帯１０の使用例を示す。使用に先立って、毛管現象の効果を高めるために、帯体１１には、十分に水分を含ませておくことが好ましい。また、花卉等の植物が植栽された植木鉢２５の土壌が乾燥している場合には、予め湿らせておくと、より毛管現象の効果を高めることができる。
給水帯１０は、端部１６ａを植木鉢２５側に配し、端部１６ｂを水、若しくは液肥を混合した水を溜めたペットボトル２６に配して、両者の間に架け渡される。
なお、植木鉢２５の他に、花卉等の植物が植栽された場所は、花壇、或いは展示会若しくは水耕栽培等で土壌を代替するスポンジ状のベースであっても良い。また、ペットボトル２６の他に、給水源は、コップ、ビニール袋、水槽等に水を溜めて用いても良い。
【００１５】
次に、差込ガイド片１２のつまみ部１９をつまんで、差込部１８の差込端２１を給水帯１０の端部１６ａとともに植木鉢２５の土中の適当な深さまで差し込む。差し込む深さは、給水帯１０の端部１６ａ側のホース１５の先端部が植木鉢２５の地面に接触するまでが好ましい。このようにすれば、給水の途中で織紐１４の露出部分から水分が蒸散してしまうことを防ぐことができる。
差込ガイド片１２は硬質な合成樹脂材からなるため、土中に真っ直ぐに差し込むことができる。この場合、土を掘り起こしたり、また埋め戻したりする必要が無いので、泥土で手指が汚れない。
【００１６】
差込ガイド片１２を土へ差し込むことのできる最大限の深さは、差込部１８の長さによって定まり、該差込部１８の差込端２１の深さは、差込部１８の残りの長さから、推測することができる。そのため、所望の深さに給水帯１０の端部１６ａを到達させることができる。
【００１７】
また、給水帯１０を土から引き抜く際には、少なくとも、つまみ部１９を摘んで引き抜けば、差し込むときと同様に、泥土で手指が汚れてしまうことを防ぐことができる。
【図面の簡単な説明】
【００１８】
【図１】本実施例に係る給水帯を示す一部切欠させた斜視図である。
【図２】本実施例に係る給水帯の差込ガイド片を示す部分拡大図である。
【図３】本実施例に係る給水帯の使用例を示す斜視図である。
【符号の説明】
【００１９】
１０…給水帯、１１…帯体、１２…差込ガイド片、１３…マグネットシート、１４…織紐、１５…ホース、１６ａ，１６ｂ…端部、１７ａ，１７ｂ…金属片、１８…差込部、１９…つまみ部、２０…突条、２１…挿入端、
２５…植木鉢、２６…ペットボトル。
【図１】
0003139294.tif 000003
【図２】
0003139294.tif 000004
【図３】
0003139294.tif 000005